(57)【特許請求の範囲】
【請求項１】
火災感知器の火災判断回路に入力される火災検出出力電圧に、試験電圧を重畳して、火災発報させることによって、上記火災感知器の感度を試験する感度試験器において、
感度試験を開始すると、上記火災感知器の設定情報を格納しているメモリであって、当該火災感知器に設けられているメモリから、上記火災感知器の設定情報を読み取る設定情報読取手段と；
上記読み取られた設定情報に基づいて、火災感知器の感度試験を実行する試験実行手段と；
を有し、
上記設定情報読取手段は、上記設定情報として、前回測定時の感度電圧を読み取る手段であり、
上記試験実行手段は、上記前回測定時の感度電圧に基づいて、上記火災感知器の火災判断回路に入力される試験電圧のスイープ範囲である試験電圧スイープ範囲の最小値を設定して、試験電圧スイープ範囲を、予め設定されている試験電圧スイープ範囲よりも狭くする手段であることを特徴とする火災感知器の感度試験器。
【発明の詳細な説明】
【技術分野】
【０００１】
本発明は、火災感知器の感度試験器に関する。
【背景技術】
【０００２】
従来、火災感知器の感度を測定する感度試験器が知られている（たとえば、特許文献１参照）。
【０００３】
従来の火災感知器において、火災判断回路に入力された火災検出出力電圧が、発報閾値（たとえば、トランジスタＴｒのベース・エミッタ電圧）を超えると、トランジスタＴｒがオンすることによって、スイッチング回路がオンし、火災発報する。
【０００４】
無煙時の火災検出部の火災検出出力電圧（ノイズ出力電圧）は、火災感知器毎に異なるので、各火災感知器は、製造時に、感度試験器によって感度を測定し、発報閾値とノイズ出力電圧との差分を測定し、この差分が、初期の感度電圧（製造時の感度電圧）であるとして、銘版に記載される。
【０００５】
火災感知器は、経年変化によって、火災検出部の汚れ、回路の劣化等によって、ノイズ出力電圧が変化するので、感度試験器によって、火災感知器の感度試験を定期的に行うことが義務付けられている。
【０００６】
感度試験時には、作業者は、警戒区域に設置されている火災感知器を、ベースから取り外し、この取り外した火災感知器を、感度試験器の測定用ベースに取り付け、試験年月日、火災感知器の機種名（型式）、製造番号、初期感度電圧等を入力し、試験を開始する。感度試験器は、火災感知器の火災判断回路に入力された火災検出出力電圧（ノイズ出力電圧）に、試験電圧の電圧レベルを、予め設定された一定範囲（試験電圧スイープ範囲、たとえば、０．２Ｖ〜０．６Ｖ）でスイープさせながら重畳する。そして、火災発報したときの試験電圧を、感度電圧とする。
【０００７】
また、感度電圧が、初期感度電圧に対して所定の電圧範囲（合格基準範囲、たとえば、初期感度電圧±２０％）にあれば、その火災感知器が正常であると判断し、感度電圧が合格基準範囲外であれば、その火災感知器が異常であると判断する。
【０００８】
そして、試験年月日、機種名、製造番号、初期感度電圧とともに、試験結果が感度試験器のプリンタ用紙に記録される。作業者は、火災感知器が正常であれば、その火災感知器をベースに再び取り付け、また、火災感知器が異常であれば、その火災感知器を交換する。
【特許文献１】特開２０００−１４９１６０号公報
【発明の開示】
【発明が解決しようとする課題】
【０００９】
従来、個々の火災感知器の試験結果を記録するために、火災感知器の機種名、製造番号等を入力する必要があり、また、合格基準範囲を決定させるために、初期感度電圧を入力する必要がある等、各種設定情報を入力する作業が必要であり、火災感知器毎の試験結果を記録するための入力作業が煩雑であるという問題がある。
【００１０】
また、上記従来例では、試験電圧スイープ範囲が、固定であり、その試験電圧スイープ範囲の全てについて重畳し、火災感知器を試験するので、多大な時間を要するという問題がある。
【００１１】
本発明は、火災感知器の感度を試験する場合、火災感知器毎の試験結果を記録するための入力作業が容易であり、また、火災感知器を試験する時間が短い感度試験器を提供することを目的とするものである。
【課題を解決するための手段】
【００１２】
本願発明は、火災感知器の火災判断回路に入力される火災検出出力電圧に、試験電圧を重畳して、火災発報させることによって、上記火災感知器の感度を試験する感度試験器において、感度試験を開始すると、上記火災感知器の設定情報を格納しているメモリであって、当該火災感知器に設けられているメモリから、上記火災感知器の設定情報を読み取る設定情報読取手段と、上記読み取られた設定情報に基づいて、火災感知器の感度試験を実行する試験実行手段とを有し、上記設定情報読取手段は、上記設定情報として、前回測定時の感度電圧を読み取る手段であり、上記試験実行手段は、上記前回測定時の感度電圧に基づいて、上記火災感知器の火災判断回路に入力される試験電圧のスイープ範囲である試験電圧スイープ範囲の最小値を設定して、試験電圧スイープ範囲を、予め設定されている試験電圧スイープ範囲よりも狭くする手段であることを特徴とする火災感知器の感度試験器である。
【発明の効果】
【００１３】
本発明は、火災感知器の設定情報を格納しているＩＣタグ等から、火災感知器の設定情報を読み取るので、火災感知器毎の試験結果を記録するための入力作業が容易であり、また、火災感知器を試験する時間が短いという効果を奏する。
【発明を実施するための最良の形態】
【００１４】
発明を実施するための最良の形態は、以下の実施例である。
【実施例１】
【００１５】
図１は、本発明の実施例１である感度試験器ＳＴの構成を示すブロック図である。
【００１６】
感度試験器ＳＴは、リーダライタ１０と、測定用ベースＢ１と、試験電圧制御部２０と、火災検出回路３０と、ＲＯＭ４１と、ＲＡＭ４２と、インタフェース４３、４４、４５と、表示器Ｄと、入力キーＫと、プリンタＰと、マイコンＭと、電源スイッチＳＷ１と、始動／復旧スイッチＳＷ２とを有する。
【００１７】
マイコンＭは、感度試験器ＳＴの全体を制御する。火災検出回路３０は、差動増幅器ＡＭＰと、比較器ＣＯＭＰarmとを有する。
【００１８】
測定用ベースＢ１を介して火災感知器ＳＥ１が出力した出力信号が流れることによって、受信抵抗ｒｒ１の両端に電圧が発生し、差動増幅器ＡＭＰは、この発生した電圧を増幅する。
【００１９】
比較器ＣＯＭＰarmは、差動増幅器ＡＭＰの増幅電圧値と基準レベルとを比較し、差動増幅器ＡＭＰの増幅電圧値が、基準レベル以上になると、火災感知器ＳＥが火災発報したことを示す信号を、比較器ＣＯＭＰarmが出力する。つまり、火災感知器ＳＥ１が略短絡の火災発報信号を出力した場合、受信抵抗ｒｒ１の両端に大きな電圧が発生するので、火災感知器ＳＥが火災発報したことを検出することができる。
【００２０】
始動／復旧スイッチＳＷ２は、始動するときに、オンされ、マイコンＭに始動信号を出力すると共に、測定用ベースＢ１を介して火災感知器ＳＥに電源を供給する。また、始動／復旧スイッチＳＷ２は、復旧するときに、オフされ、マイコンＭに復旧信号を出力すると共に、測定用ベースＢ１を介する火災感知器ＳＥへの電源供給を停止する。
【００２１】
試験電圧制御部２０は、マイコンＭによって指定された試験電圧（試験電圧値）を、測定用ベースＢ１を介して、火災感知器ＳＥへ試験電圧を重畳し、つまり火災判断回路５０に出力する。
【００２２】
感度試験器ＳＴは、火災感知器の火災判断回路に入力される火災検出出力電圧に、試験電圧を重畳して、火災発報させることによって、上記火災感知器の感度を試験する感度試験器の例である。
【００２３】
また、外部記憶媒体としてのＵＳＢメモリ４６がマイコンＭに追加して接続される。
【００２４】
リーダライタ１０は、測定用ベースＢ１に付設され、感度試験の開始によって、上記火災感知器の設定情報を格納しているメモリから、上記火災感知器の設定情報を読み取る設定情報読取手段の例である。
【００２５】
マイコンＭは、上記読み取られた設定情報に基づいて、火災感知器の感度試験を実行する試験実行手段の例である。
【００２６】
ＲＯＭ４１は、動作プログラム、感度試験時の予め設定された試験電圧スイープ範囲（たとえば、最小値０．２Ｖ〜最大値０．６Ｖ）、感度試験の合格基準範囲（たとえば、初期感度電圧±２０％）の記憶領域である。ＲＡＭ４２は、作業領域である。
【００２７】
図２は、感度試験器ＳＴで試験される火災感知器ＳＥ１の構成を示すブロック図である。
【００２８】
火災感知器ＳＥ１は、光電式スポット型煙感知器であり、建物（防火対象物）に設置され、試験電圧重畳及び火災判断回路５０と、発光周期短縮回路６１と、発振および発光回路６２と、受光増幅回路６３と、遅延回路６４と、スイッチング回路６５と、作動表示回路６６と、ダイオードブリッジ６７と、定電圧回路６８と、ＧＮＤ端子Ｔ１と、試験電圧重畳端子Ｔ２と、発光周期短縮用端子Ｔ３と、ライン端子Ｌと、コモン端子Ｃと、無接触型ＩＣタグ８０とを有する。
【００２９】
なお、火災感知器ＳＥ１のＧＮＤ端子Ｔ１と、試験電圧重畳端子Ｔ２と、発光周期短縮用端子Ｔ３と、ライン端子Ｌと、コモン端子Ｃとは、それぞれ、測定用ベースＢ１の端子Ｔ１、Ｔ２、Ｔ３、Ｌ、Ｃに接続される。
【００３０】
発振および発光回路６２は、煙検出用発光ダイオード（図示せず）の発光パルスと発光周期とを決定し、発光ダイオードを発光させる。発光周期短縮回路６１は、感度試験時に発光ダイオードの発光周期を短縮させる。受光増幅回路６３は、発光ダイオードの発光によって煙粒子の散乱光をとらえる受光素子（図示せず）と、受光素子の受光出力を増幅させる回路とを具備する。
【００３１】
試験電圧重畳および火災判断回路５０は、受光増幅出力（火災検出出力電圧）が予め設定されている発報閾値電圧を越えたか否かを判断するとともに、感度試験時に火災感知器ＳＥ１の外部から試験電圧（直流電圧）を受光増幅出力に重畳させる。遅延回路６４は、火災判断回路５０からの出力を遅延させる。定電圧回路６８は、各回路に定電圧出力を供給する。スイッチング回路６５は、遅延回路６４を介した火災判断回路５０の出力によって火災発報信号を出力する。
【００３２】
作動表示回路６６は、スイッチング回路６５と直列接続されてスイッチング回路６５の動作時に火災表示灯を点灯し、火災感知器ＳＥ１の発報表示をする。ダイオードブリッジ６７は、火災感知器ＳＥ１の電源電圧の無極性化をする。
【００３３】
ライン端子Ｌ、コモン端子Ｃは、通常時は図示しない火災受信機からの図示しない信号線が接続され、また、感度試験時は感度試験器ＳＴの測定用ベースＢ１の端子Ｌ、Ｃに接続されて、火災感知器ＳＥ１に電源を供給し、火災発報信号を出力する。ＧＮＤ端子Ｔ１は、ダイオードブリッジ６７のマイナス側である。試験電圧重畳端子Ｔ２は、試験電圧重畳および火災判断回路５０に設けられ、試験電圧（直流電圧）を受光増幅回路６３の受光増幅出力に重畳する。発光周期短縮用端子Ｔ３は、発光周期短縮回路６１に設けられ、ＧＮＤ端子Ｔ１に強制的に接続されることによって、発光周期を約１／１０に短縮させる。
【００３４】
また、試験電圧重畳および火災判断回路５０は、受光増幅回路６３の出力端子に一端が接続されているカップリング・コンデンサＣ１と、コンデンサＣ１の他端に接続されている抵抗Ｒ１、Ｒ３と、抵抗Ｒ１とＧＮＤ端子Ｔ１との間に接続されている抵抗Ｒ２、ノイズ防止用コンデンサＣ２と、抵抗Ｒ３の他端がベースに接続されているトランジスタＴｒと、トランジスタＴｒのコレクタと定電圧回路の出力端子との間に接続されている抵抗Ｒ４とを有する回路である。
【００３５】
抵抗Ｒ１とＲ２との接続点が試験電圧重畳端子Ｔ２に接続されている。これらによって、コンデンサＣ１を介した受光増幅回路６３の出力（ノイズ出力電圧としての火災検出出力電圧）に、試験重畳端子Ｔ２からの試験電圧を重畳することができる。
【００３６】
ＩＣタグ８０は、工場製造時に、火災感知器ＳＥ１の機種名（型式番号）、製造番号、初期（製造時の）感度電圧、製造年月日の各種設定情報が書き込まれている。ＩＣタグ８０は、火災感知器の設定情報を格納しているメモリの例である。
【００３７】
図３は、無接触型ＩＣタグ８０の初期設定情報（工場製造時に設定される情報）の例と、感度試験後にＵＳＢメモリ４６、無接触型ＩＣタグ８０に書き込まれる情報の例を示す図である。
【００３８】
図４は、無接触型ＩＣタグ８０の構成の具体例を示す図である。
【００３９】
無接触型ＩＣタグ８０は、ＩＣモジュール８１（ＩＣチップ）と、接点８２と、アンテナ８３とを有する。
【００４０】
接点８２は、ＩＣモジュール８１とアンテナ８３とを接続する。ＩＣモジュール８１は、リーダライタ１０によって、火災感知器ＳＥ１の設定情報を書き込むことができ、また、この書き込まれた設定情報を読み出すことができる。接点８２を介して、アンテナ８３がＩＣモジュール８１と接続され、リーダライタ１０からの電磁誘導によってＩＣモジュール８１に電流を供給し、リーダライタ１０は、ＩＣモジュール８１への設定情報等の情報の書き込み、読み出しを非接触状態で行う。なお、試験器ＳＴのリーダライタ１０が、無接触型ＩＣタグ８０との間で、無線で送受信する。
【００４１】
上記のように構成された非接触型ＩＣタグ８０においては、リーダライタ１０に近接させることによって、リーダライタ１０からの電磁誘導によって、アンテナ８３からＩＣモジュール８１に電流を供給し、これによって、非接触状態において、リーダライタ１０からＩＣモジュール８１に情報を書き込み、また、ＩＣモジュール８１に書き込まれた情報を、リーダライタ１０が読み出す。
【００４２】
次に、火災感知器ＳＥ１の感度試験について説明する。
【００４３】
感度試験器ＳＴ１は、オンオフ型の火災感知器ＳＥ１専用の試験器であり、この試験方法は、特公昭５０−２８３２０号「光電式煙感知器の試験装置」に準じており、火災感知器ＳＥ１の試験電圧重畳端子Ｔ２に試験電圧を加えるものである。
【００４４】
つまり、試験電圧重畳および火災判断回路５０において、コンデンサＣ１によって受光増幅回路６３出力の直流電圧分がカットされた火災検出出力電圧（受光増幅出力）を、下駄上げするように、抵抗Ｒ１、Ｒ２を介して、試験電圧（直流電圧）が火災感知器ＳＥ１に印加され、火災検出出力電圧＋試験電圧が、発報閾値電圧（たとえば、トランジスタＴｒのベース・エミッタ電圧）を越えると、トランジスタＴｒがオンし、遅延回路６４で所定時間遅延した後に、スイッチング回路６５がオンし、火災発報信号を出力する。
【００４５】
次に、火災感知器ＳＥ１の感度を試験する動作について説明する。なお、火災感知器ＳＥ１の現場での感度試験作業が１回目であるとして説明する。
【００４６】
図５、図６は、火災感知器ＳＥ１の感度を試験する動作を示すフローチャートである。
【００４７】
まず、Ｓ１で、電源スイッチＳＷ１がオンされ、Ｓ２で、入力キーＫによって試験年月日・作業者名が入力されると、Ｓ３で、試験年月日・作業者名を表示器Ｄに表示する。Ｓ４で、試験年月日・作業者名をＲＡＭ４２に記憶し、Ｓ５で、火災感知器ＳＥ１が感度試験器ＳＴの測定用ベースＢ１に取り付けられる。
【００４８】
Ｓ６で、始動／復旧スイッチＳＷ２を始動側に切り替えられると、Ｓ７で、リーダライタ１０を作動させ、火災感知器ＳＥ１のＩＣタグ８０から設定情報を読み取り、ＲＡＭ４２に記憶する。Ｓ８で、設定情報の中の初期感度電圧に基づいて、合格基準範囲（たとえば、初期感度電圧±２０％の範囲）を算出し、ＲＡＭ４２に記憶する。上記設定情報は、機種名（型式番号）、製造番号、初期（製造時の）感度電圧、製造年月日、前回測定時の感度電圧である。なお、火災感知器ＳＥのＩＣタグ８０に記憶されている設定情報は、感度試験作業が１回目である場合、図３（１）に示す通りであり、この場合における上記前回測定時の感度電圧は、図３（１）の３「初期（製造時の）感度電圧」となる。
【００４９】
Ｓ９で、予め設定された試験電圧スイープ範囲（たとえば、０．２〜０．６Ｖ）を、ＲＯＭ４１から読み込み、Ｓ１０で、前回測定時の感度電圧に基づいて、予め設定された試験電圧スイープ範囲に対して、設定変更する試験電圧最小値を算出し、変更された試験電圧スイープ範囲をＲＡＭ４２に記憶する。変更された試験電圧スイープ範囲は、試験電圧最小値を変更したスイープ範囲である。
【００５０】
Ｓ１１で、設定情報と合格基準範囲とを表示器Ｄに表示する。Ｓ１２で、火災感知器ＳＥ１の電源端子ＣとＬとの間に、電源電圧を印加する。Ｓ１３で、火災感知器ＳＥ１の発光周期を短縮し、Ｓ１４で、試験電圧重畳端子Ｔ２に試験電圧最小値を印加する。
【００５１】
Ｓ１５で、試験電圧を表示器Ｄに表示する。Ｓ１６で、感知器ＳＥの発報かどうかを判断する。感知器ＳＥの発報であれば、Ｓ１７で、発報時試験電圧（感度電圧ＳＶ）は、合格基準範囲内であるかどうかを判断する。発報時試験電圧が合格基準範囲内であれば、Ｓ１８で、「感度電圧ＳＶ・ＯＫ」を表示器Ｄに表示し、Ｓ２３で、試験結果をＲＡＭ４２に記憶する。試験結果としては、発報時試験電圧（感度電圧ＳＶ）の値と、ＯＫまたはＮＧである。
【００５２】
発報時試験電圧が合格基準範囲外であれば、Ｓ１９で、「感度電圧ＳＶ・ＮＧ」を表示器Ｄに表示する。試験電圧が最大値よりも大きければ、Ｓ２１で、「不作動・ＮＧ」を、表示器Ｄに表示する。試験電圧が最大値以下であれば、Ｓ２２で、試験電圧を上げる。試験電圧を上げる場合、０．０１Ｖピッチで、試験電圧を上げる。そして、この上げた試験電圧を試験電圧重畳端子Ｔ２に印加し、Ｓ１５へ戻り、感知器ＳＥの発報判断を継続する。
【００５３】
Ｓ２４で、ＲＡＭ４２に記憶した設定情報、試験年月日、作業者名、試験結果を、ＵＳＢメモリ４６に記憶し、Ｓ２５で、プリンタＰで印刷し、Ｓ２６で、リーダライタ１０を介して、図３（２）に示す通り、ＩＣタグ８０に記憶させる。Ｓ２７で、試験の継続、中止が判断される。
【００５４】
感度試験が継続されるのであれば、Ｓ２８で、火災感知器ＳＥ１が、感度試験器ＳＴの測定用ベースＢ１から取り外され、Ｓ２９で、始動／復旧スイッチＳＷ２を復旧側に切り替えられるので、Ｓ９へ戻る。感度試験が中止されるのであれば、Ｓ３０で、火災感知器ＳＥ１が感度試験器ＳＴの測定用ベースＢ１から取り外され、Ｓ３１で、電源スイッチＳＷ１がオフされて、終了する。
【００５５】
つまり、作業者が、図５、図６に示すフローチャートに基づいて、火災感知器ＳＥ１を感度試験器ＳＴの測定用ベースＢ１に取り付けると、リーダライタ１０がＩＣタグ８０から、機種名、製造番号、初期感度電圧、製造年月日、前回測定時の感度電圧（この場合は、１回目であるので、初期感度電圧である）を読み込む。
【００５６】
このときに、初期感度電圧が、たとえば０．４５Ｖであれば、感度試験の合格基準範囲は０．３６Ｖ〜０．５４Ｖ（０．４５Ｖ±２０％）と算出され、ＲＡＭ４２に記憶される。
【００５７】
また、前回測定時の感度電圧（この場合、初期感度電圧）が０．４５Ｖであるので、前回測定時から現在までの感度電圧変化分（ノイズ出力電圧変化分）を考慮して、たとえば０．４５Ｖよりも０．２Ｖ分、低い０．２５Ｖを最小値として設定し、最小値０．２５Ｖ〜最大値０．６Ｖの範囲を試験電圧スイープ範囲として変更し、ＲＡＭ４２に記憶する。そして、変更された試験電圧スイープ範囲を用いて感度試験を行う。
【００５８】
上記のように、前回測定時の感度電圧（この場合、初期感度電圧）を参照し、最適な試験電圧（最小値）からスタートさせるので、従来と比べて、予め設定された試験電圧スイープ範囲（０．２〜０．６Ｖ）の全てをスイープする必要がなく、試験時間が短縮される。なお、前回測定時の感度電圧に基づく最適な試験電圧（最小値）の算出式は、上記に限定されず、それ以外の最適な算出式を用いてもよい。
【００５９】
感度試験を終了すると、入力作業を行った試験年月日、作業者名の他に、機種名、製造番号、初期感度電圧、製造番号の設定情報、感度試験結果（感度電圧ＳＶ・ＯＫまたはＮＧ）が、ＵＳＢメモリ４６に記憶される。また、上記と同じ情報が、リーダライタ１０によって、火災感知器のＩＣタグ８０に記憶される。なお、感度試験器ＳＴの情報（型式等）を追加して記憶するようにしてもよい。
【００６０】
次回以降の感度試験作業では、図３（２）に示す通り、前回測定時の感度電圧（感度試験結果の感度電圧ＳＶ）がＩＣタグ８０に記憶されているので、この前回測定時の感度電圧に基づいて、試験電圧スイープ範囲を変更する（図５のＳ１０）が、この作業以外は、上記最初の感度試験作業と同様の作業である。
【００６１】
ＵＳＢメモリ４６に格納されている情報は、パソコン等によって一覧表等の形態で管理することができる。そして、製造年月日からの経過年数に基づいて、また、経過年数による感度電圧変化に基づいて、火災感知器ＳＥ１の劣化を判断し、早目の交換時期を顧客に提案することができる。
【００６２】
なお、ＩＣタグ８０に火災感知器ＳＥ１の設置場所等の情報を書き込むようにしてもよく、このようにすると、試験後に、試験前と同じ建物内のベースに戻すことが容易である。
【００６３】
また、２回目以降の感度試験作業を行う建物の場合、建物の全ての火災感知器の前回の感度試験結果を、ＵＳＢメモリ４６に記憶させた状態とし、感度試験作業を行い、前回測定した火災感知器と、今回測定した火災感知器とを比べ、測定漏れがある場合、警報を出すようにしてもよい。
【００６４】
また、火災感知器が不良と判定された場合、代替となる新しい火災感知器の感度試験を行う。感度試験器ＳＴは、この代替火災感知器の設定情報等が、ＵＳＢメモリ４６に記憶される。このとき、入力キーＫの操作によって、不良と判定された火災感知器の設定情報等を削除することができる。間仕切り変更等で火災感知器の増減がある場合も、上記と同様に対応することができる。そのため、現状で設置されている火災感知器の設定情報等のみをＵＳＢメモリ４６に記憶保存することができる。
【００６５】
図３（２）は、感度試験器ＳＴのＵＳＢメモリ４６に記憶されている情報を示す図である。
【００６６】
実施例１によれば、感度試験の開始によって、設定情報（機種名、製造番号、初期感度電圧、前回測定時の感度電圧）を、ＩＣタグ８０から読み取って、火災感知器ＳＥ１の感度を試験するので、設定情報を作業者が入力する必要がなく、試験に要する時間が短縮される。
【００６７】
また、従来は、火災感知器ＳＥ１の試験電圧スイープ範囲が固定である（たとえば、０．２Ｖ〜０．６Ｖ）。しかし、実施例１によれば、前回測定時の感度電圧が０．４５Ｖであれば、前回測定時から現在までの感度電圧変化分（ノイズ出力電圧変化分）を考慮した上で、たとえば０．４５Ｖよりも０．２Ｖ低い０．２５Ｖを最小値と設定し、最小値０．２５Ｖ〜最大値０．６Ｖを、試験電圧スイープ範囲に変更するので、試験時間が短縮される。
【００６８】
さらに、実施例１によれば、感度試験結果の記録を残すことができる。
【００６９】
しかも、実施例１によれば、複数回の試験結果を分析することによって、火災感知器ＳＥ１の劣化を予測することができ、顧客に質の高いサービスを提供することができる。
【００７０】
なお、上記設定情報読取手段としてのリーダライタ１０は、上記設定情報として、前回測定時の感度電圧を読み取る手段の例である。また、上記試験実行手段としてのマイコンＭは、上記前回測定時の感度電圧に基づいて、上記火災感知器の火災判断回路に入力される試験電圧のスイープ範囲である試験電圧スイープ範囲の最小値を設定し、試験電圧スイープ範囲を、予め設定されている試験電圧スイープ範囲よりも狭くする手段の例である。
【００７１】
さらに、上記メモリは、ＩＣタグであり、上記設定情報読取手段としてのリーダライタ１０は、感度試験の開始によって、上記ＩＣタグから、無線を介して、上記火災感知器の設定情報を読み取る手段の例である。
【実施例２】
【００７２】
図７は、ＩＣタグ８０の代わりに、メモリとしてのＥＥＰＲＯＭ９１を用いた火災感知器ＳＥ２の回路を示す図である。
【００７３】
火災感知器ＳＥ２は、火災感知器ＳＥ１において、ＥＥＰＲＯＭ９１と、書込読出制御部９２と、コネクタ９３とを有する。
【００７４】
そして、感度試験器ＳＴは、図示しないが、リーダライタ１０の代わりに、コネクタ９３を接続する接続部が設けられている。
【００７５】
ＩＣタグ８０と同様に、火災感知器ＳＥ２の設定情報が、ＥＥＰＲＯＭ９１に予め記憶され、また、感度試験結果等の各種設定情報が、ＥＥＰＲＯＭ９１に書き込まれる。また、感度試験器ＳＥ２のマイコンからの指令によって、ＥＥＰＲＯＭ９１へ各種設定情報を書き込む。書込読出制御部９２は、ＥＥＰＲＯＭ９１から各種設定情報の読み出しを制御する。
【００７６】
火災感知器の設定情報を格納している上記メモリは、上記火災感知器に設けられているメモリであり、上記設定情報読取手段としてのリーダライタ１０は、感度試験の開始によって、上記メモリから、有線を介して、上記火災感知器の設定情報を読み取る手段の例である。
【図面の簡単な説明】
【００７７】
【図１】本発明の実施例１である感度試験器ＳＴの構成を示すブロック図である。
【図２】感度試験器ＳＴで試験される火災感知器ＳＥ１の構成を示すブロック図である。
【図３】火災感知器ＳＥ１のＩＣタグ８０と、感度試験器ＳＴのＵＳＢメモリ４６とに記憶されている情報を示す図である。
【図４】無接触型ＩＣタグ８０の構成の具体例を示す図である。
【図５】火災感知器ＳＥ１の感度を試験する動作を示すフローチャートである。
【図６】火災感知器ＳＥ１の感度を試験する動作を示すフローチャートである。
【図７】ＩＣタグ８０の代わりに、メモリとしてのＥＥＰＲＯＭ９１を用いた火災感知器ＳＥ２の回路を示す図である。
【符号の説明】
【００７８】
ＳＴ…感度試験器、
１０…リーダライタ、
Ｂ１…測定用ベース、
２０…試験電圧制御部、
３０…火災検出回路、
Ｄ…表示器、
Ｍ…マイコン、
４６…ＵＳＢメモリ。
【図１】
0005117867.tif 000002
【図２】
0005117867.tif 000003
【図３】
0005117867.tif 000004
【図４】
0005117867.tif 000005
【図５】
0005117867.tif 000006
【図６】
0005117867.tif 000007
【図７】
0005117867.tif 000008